(57)【要約】【課題】グリーン上にて誰れもが容易に納得できる状態にて計測即決でき、その場でニアピンを取ったという感激と称賛が得られるというニアピン計測具を提供する。【解決手段】本発明に係るニアピン計測具は、ケースの一部に設けた穴からストラップの一端を挿入し、その挿入端をケース内に設けたリールに固定するとともに、前記ストラップの外端にグリーンのホールに立てたピンフラッグの基部に引っ掛けるフックを備えてなることを特徴とし、フックをフラッグピンの基部に引っ掛けてストラップをケースより延ばしてグリーン上にある一つのボールを計測した後、そのストラップ上の計測点を手指で摘むなどして明確にした状態で、グリーン上にある他のボールを目指して水平移動させて他のボールがその明確にした個所より前か後かによりニアピンを計測できるように構成した。【選択図】図６
2011104024.tif 000002
【特許請求の範囲】
【請求項１】
ケースの一部に設けた穴からストラップの一端を挿入し、その挿入端をケース内に設けたリールに固定するとともに、前記ストラップの外端にグリーンのホールに立てたピンフラッグの基部に引っ掛けるフックを備えてなることを特徴とするニアピン計測具。
【請求項２】
前記リールが、ストラップを巻込み方向へ付勢する付勢手段を持っていることを特徴とする請求項１に記載のニアピン計測具。
【請求項３】
前記ケースが、その外表面に前記付勢手段の作動を一時停止させる押し操作手段を備えていることを特徴とする請求項２に記載のニアピン計測具。
【請求項４】
前記ストラップに、ホールの周縁に対応する部位を起点として寸法表示をしてなることを特徴とする請求項１又は２に記載のニアピン計測具。
【発明の詳細な説明】
【技術分野】
【０００１】
本発明は、ピンフラッグの基部に引っ掛けてストラップを延ばしてゴルフグリーン上にある複数のボールのうち、どれがニアピンかを誰れもが容易に納得できる状態でゴルフグリーン上において計測できるようにしたニアピン計測具に関するものである。
【背景技術】
【０００２】
一般に、ゴルフコンペ（会社等の団体が主催するゴルフ競技や仲間らで行われるゴルフ競技）ではグリーン上に乗ったボールのうち、ホール（カップ）に立てたフラッグピンに一番近い距離のボールを「ニアピン」と称してそのボールを打った者を称賛する風習がある。このニアピンはプレーヤの目で見て容易に判断が付く明確な場合には問題ないが、ピンフラッグからの距離が目では容易に判断が付かない場合には、歩数で計測するかピンで計測したが微妙な差は計り切れず、ニアピンの称賛を受けたい者同士の紛争にまで発展することがあった。このような紛争を無くすため、従来、特開２００８−１６７２４４号が開示されている。これはフラッグピンの上端部に撮像カメラを設置してグリーン上に乗った総てのボールを個々に撮像してどのボールが「ニアピン」かを決定するという技術である。
【特許文献１】特開２００８−１６７２４４号公報
【発明の開示】
【発明が解決しようとする課題】
【０００３】
しかしながら、上記従来技術によれば、ピン上端部に設置した撮像カメラにてゴルフグリーン上に乗った総てのボールをそれぞれ撮像し、その画像から距離を計測してニアピンを決定するもので、誰れもが納得できる正確な判断が出せる点では理想的なものであると言えるが、撮像した画像を映し出すモニターや画像上で距離を計測する計測器（コンピューター）等など、大がかりな付随設備が必要となったばかりでなく、現場（グリーン上）にて即決できるものではなく、コンピューターが設置されている場所（クラブハウス）において初めてニアピンが誰かということが発表されるから、ニアピンを取ったという感激が減殺されるおそれがある。
【０００４】
本発明は、上記のような問題点を解決するためのもので、その目的とするところは、グリーン上にて誰れもが容易に納得できる状態にて計測即決でき、その場でニアピンを取ったという感激と称賛が得られるというニアピン計測具を提供することにある。
【課題を解決するための手段】
【０００５】
上記の目的を達成するため、本発明に係るニアピン計測具は、ケースの一部に設けた穴からストラップの一端を挿入し、その挿入端をケース内に設けたリールに固定するとともに、前記ストラップの外端にグリーンのホールに立てたピンフラッグの基部に引っ掛けるフックを備えてなることを特徴とし、フックをフラッグピンの基部に引っ掛けてストラップをケースより延ばしてグリーン上にある一つのボールを計測した後、そのストラップ上の計測点を手指で摘むなどして明確にした状態で、グリーン上にある他のボールを目指して水平移動させて他のボールがその明確にした個所より前か後かによりニアピンを計測できるように構成した。
【０００６】
また、請求項２に係るニアピン計測具は、前記リールが、ストラップを巻込み方向へ付勢する付勢手段を持っていることを特徴とし、計測のために引き出したストラップは常に巻込み方向に付勢されるように構成した。
【０００７】
また、請求項３に係るニアピン計測具は、前記ケースが、その外表面に前記付勢手段の作動を一時停止させる押し操作手段を備えたことを特徴とし、一つのボールの上にケースがきたときに、前記付勢手段の作動を一時停止させることによりケース自体が計測点を示すこととなるように構成した。
【０００８】
さらに、請求項４に係るニアピン計測具は、前記ストラップに、ホール（カップとも言う）の周縁に対応する部位を起点として寸法表示をしてなることを特徴とし、ニアピンが決定された者をして、ボールがホール（カップ）にどの程度近かったかを具体的に知れるように構成した。
【発明の効果】
【０００９】
本発明によれば、ケースの一部に設けた穴から挿入され、挿入端をケース内に設けた巻込み方向への付勢手段を持つリールに巻き込まれたストラップは、小さく収納され、長く延ばせるので、キャディやプレーヤー等の携帯に有用であり、しかも、フックをピンフラッグの基部に引っ掛けてストラップを延ばしてゴルフグリーン上にある複数のボールを目指して水平移動させるだけでニアピンが即時に計測できる利点がある。さらに、その計測が現場（ゴルフグリーン上）において、誰もが納得できる状態で即決でき、したがって、ニアピンとして称賛を受けるプレイヤー（人）同士の紛争に発展することがないばかりでなく、ニアピンを取ったという感激がその場において得られるなど各種の優れた効果を奏するものである。
【００１０】
また、請求項２によれば、計測のために引き出したストラップは、常に巻込み方向に付勢されているリールにより巻かれるので、ニアピン計測後、ピンからフックを外したストラップのケース内への回収が楽に、しかも早急にでき、ゴルフプレーの進行を遅らせてしまうことがないという優れた効果を奏するものである。
【００１１】
また、請求項３によれば、一つのボールの上にケースがきたときに、前記付勢手段の作動を一時停止させるとケース自体が計測点を示すこととなり、該ケースを持ったまま水平移動して他のボールがそのケースより前（ピン側）か、後ろ（グリーンエッジ側）かで容易にニアピンの計測ができるという優れた効果を奏するものである。
【００１２】
さらに、請求項４によれば、ニアピンが決定された者をしてボールがホール（カップ）にどの程度近かったかを具体的に知り得る。したがって、ニアピンを取ったという感激に加え、自己記録の更新を目指すプレーヤーの欲求を至極満足させることができるという優れた効果を奏するものである。
【発明を実施するための最良の形態】
【００１３】
次に、本発明の実施の態様を添付図面に基づいて説明する。図１は本願ニアピン計測具の外観斜視図、図２は本願ニアピン計測具の平面断面図、図３は本願ニアピン計測具の側面断面図、図４はフックの斜視図で、（ａ）はリング状、（ｂ）は知恵の輪状、（ｃ）はベルト状、図５はストラップに寸法表示した図で、（ａ）は紐の場合、（ｂ）はテープの場合、図６は本願ニアピン計測具を用いて計測している状態を示す斜視図である。
【００１４】
本願ニアピン計測具１は、図１及び図２の如く、手で掴める程度の大きさからなるケース２の一部に設けた穴３からストラップ４の一端を挿入し、その挿入端を前記ケース２内に設けたリール５に巻込み固定し、該ストラップ４の外端にフック６を備えてなる。前記リール５は常に渦巻バネ７により巻込み方向へ付勢されている。
【００１５】
前記ケース２は、縦断状に設けた割線ｗより２つ割りされた両部材２ａ、２ｂをビス８により固定してなる。これら両部材２ａ、２ｂの内面中央部には、図３の如く、互いに対向する環状リブ９、９が設けられ、該環状リブ９、９の外周を滑るように、前記リール５の中央孔１０が嵌合している。換言すれば、前記リール５は、その中央孔１０を介して前記環状リブ９、９を外周を素材の滑り性を利用して回転するようになっている。
【００１６】
前記リール５の中央孔１０の中心には、前記ケース２の片側部材２ａから突設してなる軸棒１１がある。該軸棒１１の割れ目には前記渦巻バネ７の内端が挿入し固定されている一方、該渦巻バネ７の外端は、前記リール５の周囲に凹設したストラップ４の巻取溝１２の内周に設けた割れ目に挿入し固定されている。したがって、巻取溝１２に巻取られたストラップ４は、前記ケース２の穴３から引出して行くと前記リール５が回転し、前記軸棒１１に内端を固定した渦巻バネ６が巻締められるから、ストラップ４の引出し力を開放すると渦巻バネ７の反発力にてストラップ４はケース２内に巻込まれることとなる。
【００１７】
前記ケース２の外表面には、前記渦巻バネ７の反発力にてストラップ４を巻込む作動を一時停止させる押し操作手段１３が備えられている。この押し操作手段１３は一端１３ａをケース２の外側面に固定し、他端１３ｂをケース２の外側面の開口部１４よりケース内に挿入して、図３の如く、前記リール５の巻取溝１２の両縦枠部に当接できるようにしている。すなわち、前記押し操作手段１３を押すと、ケース２に固定された一端１３ａを中心に回動し、その他端１３ｂにて前記リール５を押さえるように作動する。これにより渦巻バネ７の反発力にてストラップ４がケース２内に巻込まれることをストップさせるが、前記押し操作手段１３の押し作動を解除するとストラップ４はケース２内に巻込み開始されるようになっている。
【００１８】
前記渦巻バネ７は、ストラップ４をケース２内への巻込み方向への付勢手段として使用しているが、渦巻バネ７の性能としては、ストラップ４の巻込み量には自ずと限界（５ｍ位）がある。この限界を超える長さのストラップを使用できるようにするため、渦巻バネに替えて電動モータ（図示せず）とすることもある。また、図示していないが、ストラップの巻込み量が５ｍを超えるような場合には、渦巻バネは使用しないで、手動による巻取りでストラップ４をケース内に収容するようにしてもよい。なお、渦巻バネ等を利用した自動巻込み機構と、手巻等の手動巻取機構とを併用することもあってよい。
【００１９】
前記フック６は、グリーンのホール（カップ）Ｈに、立てたフラッグピン１５の基部に引っ掛けるためのものである。このフック６はフラッグピンの基部に引っ掛けた後にストラップを緊張させた状態でケース２より引き出すため、ピン１５に単に引っ掛け得る形状になっていれば満足できるが、出来れば、前記フック６を引っ掛けた後、該フック６がピン１５から外れ難い形状になっていることがより好ましい。たとえば、図４（ａ）の如くピン１５の太さＦが通過できる開口幅Ｋを有するリング状の主部６ａをパイプ材で形成し該主部６ａのパイプ内に開口幅Ｋを埋める円弧スライダー６ｂを内装バネ６ｃにより復帰するように設け、該円弧スライダー６ｂを主部６ａの外面に設けた長溝６ｄから外出させたハンドル６ｅの操作により開口幅Ｋを開口させ、ピン１５を開口幅Ｋに通した後ハンドル６ｅから手を離すと閉じるようになっている。なお、図示していないが、リング状の主部の開口部に、ピンの通過後にバネ作用により閉じる可動爪を設けるようにしてもよい。
【００２０】
また、図４（ｂ）の如く、ピン１５の太さＦが通過できる螺旋幅Ｋ′を有する知恵の輪状の螺旋具６ｆを前記フック６とすることもある。これは、ピン１５に知恵の輪的にフック６を係合させることになるが、上記リング状のフック６に比し、構造が単純化する点で優れている。さらに、図示していないが、プラスチック板の如き弾性板を輪状に打抜き、その輪の１か所に切込みを設け、該切込み部をその素材の弾性を利用して変形させてピン１５の基部に引っ掛けるようにすることもある。
【００２１】
図４（ｃ）は、前記フック６をテープ状のストラップ４の外端に、前記ピン１５の太さＦより長尺であって、輪になるベルト状のものが結着されている。この場合、ベルト６ｇの基端と先端との間にそれぞれ係合手段６ｈ、６ｈ′を設けてピン１５の基部にベルトを回した後、該係合手段６ｈ、６ｈ′を係合固定することとなる。係合手段６ｈ、６ｈ′として図示の例では雄雌ホックを示しているが、足袋のコハゼの如き鉤と鉤受けでもよい。なお、フック６は、単なる輪だけでも目的は達せられる。たとえば、ニアピン計測に際して、いったん、ピン１５を抜いて輪を嵌め、再び、ピン１５を戻して計測するように使用することとなる。
【００２２】
前記リール５に巻込まれたストラップ４は、紐状でも、テープ状でもよい。紐状のものは、伸びのないテングスや伸びのないプラスチック繊維の一本物でも、伸びのないプラスチック繊維を複数本撚り合わせた撚糸でもよい。また、テープ状のものは、伸びのないプラスチックシートを細幅帯状に裁断したものでも、伸びのないプラスチック繊維で細幅帯状に織ったものでもよい。
【００２３】
前記ストラップ４には、グリーンＧのホール（カップ）Ｈの周縁に対応する部位を起点Ｐとして寸法表示がされている。これはニアピンが決定された者をして、ボールＢがホールＨにどの程度近かったかを具体的に知れると、自己記録の更新を目指すプレーヤーの欲求を満足させるからである。たとえば、図５（ａ）の如く、紐状の場合、ホールＨの周縁に対応する部位を起点Ｐとして赤、黒、白、黄、青を２０ｃｍ毎にこの順に繰り返して色別して寸法表示４ａしていると、ボールＢの位置が、具体的に「黄」であると、８０数ｃｍということになり、２回目の「赤」であると、１００数ｃｍということになることがわかるものである。また、図５（ｂ）の如く、テープ状の場合、ホールＨの周縁に対応する部位を起点Ｐとして目盛りによる寸法表示４ｂしている。勿論、これ以外の方法で寸法表示することも可能である。
【００２４】
前記ケース２には、プレーヤー又はハウスキャディが携帯し易いように、図１、図２の如く、提げ紐１６を取り付けるための軸体１７が設けられているほか、図３の如く、ケース２の平面部に腰ベルトに止めてられるクリップ体１８を備えている。
【００２５】
次に、前記本願ニアピン計測具１の使用方法について説明する。まず、ゴルフコンペにおいてグリーンＧ上に乗った複数のボールＢ１、Ｂ２があり、どちらがニアピンかがプレーヤの目では容易に判断が付かない場合に、携帯していたケース２を手に持ち、ケース２の穴３から出ているストラップの外端に取付けられているフック６を、図６の如く、グリーンＧのホール（カップ）Ｈに、立てたフラッグピン１５の基部に引っ掛ける。次いで、ケース２を持ったまま一つのボールＢ１を目指して引いて行き、ケース２がボールＢ１の上、すなわち、ボールＢ１とケース２の穴３が一致した時点で、押し操作手段１３を押してのストラップの戻り作動を一時停止させる。
【００２６】
次に、押し操作手段１３を押したままの状態で、グリーンＧ上に乗っている他のボールＢ２を目指して水平方向に移動し、握っているケース２が他のボールＢ２の上になったときに、他のボールＢ２がケース２より前（ピン側）か、後ろ（グリーンエッジ側）かで容易に計測できる。しかも、その計測が現場（ゴルフグリーン上）において、誰もが納得できる状態にて即決できるため、ニアピンとして称賛を受けるプレイヤー（人）同士の紛争に発展することがないし、ニアピンを取ったという感激がその場において即時に得られるものである。
【００２７】
上記計測後、押し操作手段１３の押しを解除するとケース２内にストラップ４が直ぐに渦巻バネ７の作用で巻込まれる。したがって、ニアピン計測とストラップ４のケース２内への回収のために、ゴルフプレーの進行を遅らせてしまうことがない。
【産業上の利用可能性】
【００２８】
本願ニアピン計測具１は、ピンフラッグの基部にフックを引っ掛けてストラップを延ばしてグリーン上にある複数のボールのうち、どれがニアピンかを誰れもが容易に納得できる状態で計測できもので、ゴルファーにおいて広く使用される可能性が高く、産業上の利用可能性も極めて高いものである。
【図面の簡単な説明】
【００２９】
【図１】本願ニアピン計測具の外観斜視図である。
【図２】本願ニアピン計測具の平面断面図である。
【図３】本願ニアピン計測具の側面断面図である。
【図４】フックを示す斜視図で、（ａ）はリング状、（ｂ）は知恵の輪状、（ｃ）はベルト状である。
【図５】ストラップに寸法表示した図で、（ａ）は紐の場合、（ｂ）はテープの場合である。
【図６】本願ニアピン計測具を用いて計測している状態を示す斜視図である。
【符号の説明】
【００３０】
１  本願ニアピン計測具
２  ケース
２ａ、２ｂ  両部材
３  穴
４  ストラップ
４ａ  色別の寸法表示
４ｂ  目盛りを付した寸法表示
５  リール
６  フック
６ａ  リング状の主部
６ｂ  円弧スライダー
６ｃ  内装バネ
６ｄ  長溝
６ｅ  ハンドル
６ｆ  螺旋具
６ｇ  ベルト
６ｈ、６ｈ′  係合手段
７  渦巻バネ
８  ビス
９  環状リブ
１０  中央孔
１１  軸棒
１２  巻取溝
１３  押し操作手段
１３ａ  一端
１３ｂ  他端
１４  開口部
１５  フラッグピン
１６  提げ紐
１７  軸体
１８  クリップ体
Ｗ  割線
Ｈ  ホール（カップ）
Ｐ  起点
Ｂ（Ｂ１、Ｂ２）  ボール
【図１】
2011104024.tif 000003
【図２】
2011104024.tif 000004
【図３】
2011104024.tif 000005
【図４】
2011104024.tif 000006
【図５】
2011104024.tif 000007
【図６】
2011104024.tif 000008